(57)【要約】【課題】使い勝手の向上を図ることができるハンディタイプ電気掃除機を提供すること。【解決手段】ハンディタイプ電気掃除機１の掃除機本体２では、重量物である電動送風機６を含む本体部５が重心となる。本体部５の周面では、所定角度位置にメインハンドル３０が設けられ、その角度位置と１８０°隔たる角度位置にサブハンドル３１が設けられているので、どちらのハンドルを把持しても、電動送風機６の自重によって、把持したハンドルの下方に本体部５（重心）がくる。よって、掃除機本体２を安定した状態で移動させることができる。また、床面において掃除する領域を、広い領域から狭い領域へ（または、その逆へ）と移すためにメインハンドル３０およびサブハンドル３１のいずれか一方から他方に持ち替えると、電動送風機６の自重によって、把持したハンドルの下方に本体部５が速やかに配置されるので、ハンドルを安定した状態で円滑に持ち替えれる。【選択図】図２
2012050564.tif 000002
【特許請求の範囲】
【請求項１】
手で持って操作され得る掃除機本体と、前記掃除機本体から前方へ延びる延長管と、前記延長管の先端に取り付けられた吸込具とを有するハンディタイプ電気掃除機であって、
前記掃除機本体は、
電動送風機と、前記電動送風機の前方に取り外し可能に設けられた集塵ケースとを含む本体部と、
前記本体部の周面の所定角度位置に、周面から外方へ張り出すように設けられたメインハンドルと、
前記メインハンドルが設けられた角度位置と１８０°隔たる前記本体部周面の角度位置に、周面から外方へ張り出すように設けられたサブハンドルと、
前記サブハンドルの前方延長線上に前記サブハンドルと一体化して設けられ、先端に前記延長管を連結でき、後端は略９０°湾曲して前記集塵ケースへ空気および塵埃を誘導するための接続管と、
を含むことを特徴とする、ハンディタイプ電気掃除機。
【請求項２】
前記延長管は、前記接続管の先端に連結され、
前記サブハンドル、前記接続管および前記延長管は、一直線状に延びていることを特徴とする、請求項１記載のハンディタイプ電気掃除機。
【請求項３】
前記吸込具は、
底面に主吸込口が形成され、前面に副吸込口が形成されたハウジングと、前記ハウジングに連結され、前記ハウジングとの連結部を中心に回動可能であり、前記延長管の先端に取り付けられるベンドと、を含み、
前記主吸込口が床面に対向した基本姿勢と、前記副吸込口が床面に対向した倒立姿勢とに姿勢を切り換えることができることを特徴とする、請求項２記載のハンディタイプ電気掃除機。
【請求項４】
前記吸込具は、
前記基本姿勢において前記副吸込口を閉じる一方で、前記倒立姿勢において前記副吸込口を開くシャッターと、
前記シャッターの外表面に回転可能に設けられたローラーと、
を含むことを特徴とする、請求項３記載のハンディタイプ電気掃除機。
【請求項５】
前記メインハンドルを把持した状態で、前記吸込具は前記基本姿勢をとり、前記サブハンドルを把持した状態で、前記吸込具は前記倒立姿勢をとることを特徴とする、請求項３または４記載のハンディタイプ電気掃除機。
【請求項６】
前記掃除機本体は、前記本体部の後端により形成される略円形の後端面と、前記メインハンドルの後端により前記本体部の後端面から外方へ張り出した一方張出面と、前記サブハンドルの後端により前記本体部の後端面から前記一方張出面と１８０°隔たる方向へ張り出した他方張出面とを有し、
前記略円形の後端面、前記一方張出面および前記他方張出面が面一のフラット面を形成していることを特徴とする、請求項１〜５のいずれかに記載のハンディタイプ電気掃除機。
【請求項７】
前記掃除機本体から前記延長管および前記吸込具を取り外し、
前記掃除機本体の前記フラット面を床に対向させて前記掃除機本体を立設させることができ、
前記掃除機本体には、取り外した前記延長管および前記吸込具に設けられた係止フックを引っ掛けるためのフック受けが設けられていることを特徴とする、請求項６記載のハンディタイプ電気掃除機。
【請求項８】
前記サブハンドルには、前記電動送風機に電力を供給するための電気コードの一端側が埋設されており、
前記電気コードの一端側は、使用時には、前記サブハンドルの前記他方張出面から後方へ伸び出た状態になり、前記掃除機本体を立設したときには、前記サブハンドルの前記他方張出面を避けて、前記サブハンドルの張出方向へ伸び出た状態となるようにコード伸出方向調整部材が設けられていることを特徴とする、請求項６または７記載のハンディタイプ電気掃除機。
【発明の詳細な説明】
【技術分野】
【０００１】
この発明は、ハンディタイプ電気掃除機に関する。
【背景技術】
【０００２】
電気掃除機には、屋内の床面等を掃除するために一般的に広く用いられるキャニスタータイプと、携帯に便利なハンディタイプとが存在する。
下記特許文献１では、ハンディタイプの電気掃除機が提案されている。この電気掃除機は、把手および集塵部が設けられるとともに電動送風機が内蔵された掃除機本体と、床面の塵埃を吸い込む吸口体（吸込具）と、掃除機本体および吸口体を連結して塵埃を吸口体から掃除機本体へ誘導する連結管とを含んでいる。把手を把持して電気掃除機全体を移動させることで吸口体を塵埃に向けると、電気掃除機では、この塵埃を吸口体で吸い込んで掃除機本体の集塵部に溜めることができる。
【０００３】
下記特許文献２では、キャニスタータイプの電気掃除機が提案されている。この電気掃除機は、電動送風機を内蔵して床面上を移動する掃除機本体と、一端が掃除機本体に接続されるホースと、ホースの他端に一端が接続される延長管と、延長管の他端に接続される吸込具とを含んでいる。吸込具は、上下に扁平なボックス状の本体ケースを有していて、本体ケースには、その底面から前面にわたって吸込口が形成されている。
【０００４】
この電気掃除機において、床面において比較的広い領域を掃除する通常の場合には、本体ケースの底面における吸込口を床面に対向させて吸込具を移動させる。これにより、床面の塵埃は、本体ケースの底面における吸込口から本体ケース内に吸い込まれ、延長管およびホースを通過した後に、掃除機本体に溜められる。
一方、この吸込具は、本体ケースが直立して本体ケースの前面における吸込口が床面に対向するように、姿勢を変えることができる。直立した本体ケースは、横方向に薄くなる。そのため、直立した本体ケースを室内における壁面と家具との隙間に挿入することができ、この隙間における床面上の塵埃が、本体ケースの前面における吸込口から本体ケース内に吸い込まれ、掃除機本体に溜められる。
【０００５】
つまり、特許文献２のキャニスタータイプの電気掃除機では、吸込具の姿勢を変えることで、床面において、比較的広い領域だけでなく、壁面と家具とに挟まれた狭い領域も掃除することができる。
【先行技術文献】
【特許文献】
【０００６】
【特許文献１】特開２００２−３５５１９６号公報
【特許文献２】特開２００６−３４０７３９号公報
【発明の概要】
【発明が解決しようとする課題】
【０００７】
特許文献１のハンディタイプ電気掃除機でも、特許文献２のキャニスタータイプ電気掃除機のように、床面において、広い領域だけでなく、狭い領域も共通の吸込具で掃除できると便利である。また、ハンディタイプ電気掃除機では、掃除機本体を手で持って宙に浮かせた状態で使用する構成上、使い勝手の良さが特に注目される。
この発明は、かかる背景のもとでなされたもので、使い勝手の向上を図ることができるハンディタイプ電気掃除機を提供することを目的とする。
【課題を解決するための手段】
【０００８】
請求項１記載の発明は、手で持って操作され得る掃除機本体と、前記掃除機本体から前方へ延びる延長管と、前記延長管の先端に取り付けられた吸込具とを有するハンディタイプ電気掃除機であって、前記掃除機本体は、電動送風機と、前記電動送風機の前方に取り外し可能に設けられた集塵ケースとを含む本体部と、前記本体部の周面の所定角度位置に、周面から外方へ張り出すように設けられたメインハンドルと、前記メインハンドルが設けられた角度位置と１８０°隔たる前記本体部周面の角度位置に、周面から外方へ張り出すように設けられたサブハンドルと、前記サブハンドルの前方延長線上に前記サブハンドルと一体化して設けられ、先端に前記延長管を連結でき、後端は略９０°湾曲して前記集塵ケースへ空気および塵埃を誘導するための接続管と、を含むことを特徴とする、ハンディタイプ電気掃除機である。
【０００９】
請求項２記載の発明は、前記延長管は、前記接続管の先端に連結され、前記サブハンドル、前記接続管および前記延長管は、一直線状に延びていることを特徴とする、請求項１記載のハンディタイプ電気掃除機である。
請求項３記載の発明は、前記吸込具は、底面に主吸込口が形成され、前面に副吸込口が形成されたハウジングと、前記ハウジングに連結され、前記ハウジングとの連結部を中心に回動可能であり、前記延長管の先端に取り付けられるベンドと、を含み、前記主吸込口が床面に対向した基本姿勢と、前記副吸込口が床面に対向した倒立姿勢とに姿勢を切り換えることができることを特徴とする、請求項２記載のハンディタイプ電気掃除機である。
【００１０】
請求項４記載の発明は、前記吸込具は、前記基本姿勢において前記副吸込口を閉じる一方で、前記倒立姿勢において前記副吸込口を開くシャッターと、前記シャッターの外表面に回転可能に設けられたローラーと、を含むことを特徴とする、請求項３記載のハンディタイプ電気掃除機である。
請求項５記載の発明は、前記メインハンドルを把持した状態で、前記吸込具は前記基本姿勢をとり、前記サブハンドルを把持した状態で、前記吸込具は前記倒立姿勢をとることを特徴とする、請求項３または４記載のハンディタイプ電気掃除機である。
【００１１】
請求項６記載の発明は、前記掃除機本体は、前記本体部の後端により形成される略円形の後端面と、前記メインハンドルの後端により前記本体部の後端面から外方へ張り出した一方張出面と、前記サブハンドルの後端により前記本体部の後端面から前記一方張出面と１８０°隔たる方向へ張り出した他方張出面とを有し、前記略円形の後端面、前記一方張出面および前記他方張出面が面一のフラット面を形成していることを特徴とする、請求項１〜５のいずれかに記載のハンディタイプ電気掃除機である。
【００１２】
請求項７記載の発明は、前記掃除機本体から前記延長管および前記吸込具を取り外し、前記掃除機本体の前記フラット面を床に対向させて前記掃除機本体を立設させることができ、前記掃除機本体には、取り外した前記延長管および前記吸込具に設けられた係止フックを引っ掛けるためのフック受けが設けられていることを特徴とする、請求項６記載のハンディタイプ電気掃除機である。
【００１３】
請求項８記載の発明は、前記サブハンドルには、前記電動送風機に電力を供給するための電気コードの一端側が埋設されており、前記電気コードの一端側は、使用時には、前記サブハンドルの前記他方張出面から後方へ伸び出た状態になり、前記掃除機本体を立設したときには、前記サブハンドルの前記他方張出面を避けて、前記サブハンドルの張出方向へ伸び出た状態となるようにコード伸出方向調整部材が設けられていることを特徴とする、請求項６または７記載のハンディタイプ電気掃除機である。
【発明の効果】
【００１４】
請求項１記載の発明によれば、手で持って操作され得る掃除機本体と、掃除機本体から前方へ延びる延長管と、延長管の先端に取り付けられた吸込具とを有するハンディタイプ電気掃除機において、掃除機本体では、重量物である電動送風機を含む本体部が重心となる。
本体部の周面では、所定角度位置にメインハンドルが設けられ、メインハンドルが設けられた角度位置と１８０°隔たる角度位置にサブハンドルが設けられている。メインハンドルおよびサブハンドルは、いずれも本体部の周面から外方へ張り出すように設けられている。
【００１５】
そして、サブハンドルの前方延長線上には、接続管が、サブハンドルと一体化して設けられている。接続管では、先端に延長管を連結でき、後端は略９０°湾曲していて、接続管は、本体部の集塵ケースへ空気および塵埃を誘導する。
ここで、メインハンドルおよびサブハンドルは、重心となる本体部を挟んで対称に配置されている。この場合、どちらのハンドルを把持しても、電動送風機の自重によって、把持したハンドルの下方に本体部がくる。これにより、ハンドルを把持した手の下方に掃除機本体の重心が位置するので、掃除機本体を安定した状態で移動させることができる。
【００１６】
また、たとえば、床面において掃除する領域を、広い領域から狭い領域へと移す場合（または、その逆の場合）、そのためにメインハンドルおよびサブハンドルのいずれか一方から他方に持ち替えると、電動送風機の自重によって、把持したハンドルの下方に本体部が速やかに配置される。これにより、ハンドルを安定した状態で円滑に持ち替えることができる。
【００１７】
以上の結果、使い勝手の向上を図ることができる。
請求項２記載の発明によれば、延長管は、接続管の先端に連結され、この状態で、サブハンドル、接続管および延長管は、一直線状に延びている。そのため、メインハンドルからサブハンドルに持ち替えると、サブハンドル、接続管および延長管を軸として、本体部が電動送風機の自重によって下向きに回動し、サブハンドルの下方へ速やかに移動する。これにより、メインハンドルからサブハンドルに安定した状態で円滑に持ち替えることができて使い勝手が良い。
【００１８】
請求項３記載の発明によれば、吸込具では、ハウジングの底面に主吸込口が形成され、前面に副吸込口が形成されていて、ハウジングには、ベンドが連結されている。ベンドは、ハウジングとの連結部を中心に回動可能であり、延長管の先端に取り付けられる。そのため、電動送風機が吸引力を発生すると、塵埃が、主吸込口または副吸込口からハウジング内に吸い込まれ、ベンド、延長管および接続管を通過した後に集塵ケースに溜められる。
【００１９】
そして、吸込具は、主吸込口が床面に対向した基本姿勢と、副吸込口が床面に対向した倒立姿勢とに姿勢を切り換えることができる。そのため、基本姿勢において、床面の広い領域の塵埃を主吸込口からハウジング内に効率的に吸い込むことができる。一方、倒立姿勢において、吸込具を横方向に薄くすることができるので、倒立姿勢の吸込具を、室内の壁面と家具との隙間や家具と家具との隙間に差し込んで、これらの隙間における床面の狭い領域の塵埃を副吸込口からハウジング内に吸い込むことができる。つまり、吸込具の姿勢を基本姿勢と倒立姿勢とに切り換えることによって、ハンディタイプ電気掃除機では、床面における広い領域および狭い領域の両方を掃除することができて使い勝手が良い。
【００２０】
請求項４記載の発明によれば、吸込具は、シャッターと、シャッターの外表面に回転可能に設けられたローラーとを含んでいる。
シャッターは、基本姿勢において副吸込口を閉じているので、床面の塵埃を、床面に対向している主吸込口からハウジング内に効率的に吸い込むことができる。また、たとえば、吸込具を室内の壁面に沿わせて移動させたい場合には、ローラーが壁面に触れて転がるので、吸込具を円滑に移動させることができて使い勝手が良い。
【００２１】
一方、シャッターは、倒立姿勢において副吸込口を開くので、床面の狭い領域における塵埃を、この領域に対向している副吸込口からハウジング内に効率的に吸い込むことができる。この際、ローラーが床面に触れて転がるので、倒立姿勢の吸込具を床面上で円滑に移動させることができて使い勝手が良い。
請求項５記載の発明によれば、メインハンドルを把持した状態で、吸込具は基本姿勢をとり、サブハンドルを把持した状態で、吸込具は倒立姿勢をとる。
【００２２】
ここで、メインハンドルおよびサブハンドルは、重心となる本体部を挟んで対称に配置されているので、これらのハンドルを安定した状態で円滑に持ち替えることができる。そのため、メインハンドルを把持すれば、吸込具は円滑に基本姿勢になり、サブハンドルを把持すれば、吸込具は円滑に倒立姿勢になるので、使い勝手が良い。
特に、サブハンドル、接続管および延長管は、一直線状に延びていることから、メインハンドルからサブハンドルに安定した状態で円滑に持ち替えることができるので、サブハンドルを把持すれば、吸込具は一層円滑に倒立姿勢になり、一層使い勝手が良い。
【００２３】
請求項６記載の発明によれば、掃除機本体は、本体部の後端により形成される略円形の後端面と、メインハンドルの後端により本体部の後端面から外方へ張り出した一方張出面と、サブハンドルの後端により本体部の後端面から張り出した他方張出面とを有している。他方張出面は、一方張出面と１８０°隔たる方向へ張り出していて、略円形の後端面、一方張出面および他方張出面が面一のフラット面を形成している。
【００２４】
この場合、フラット面は、メインハンドル、本体部およびサブハンドルの並び方向に沿って長手かつ平坦なので、フラット面が床に対向するように掃除機本体を床に載置すると、掃除機本体は、当該並び方向へ倒れることなく、安定した姿勢を保つことができる。
請求項７記載の発明によれば、掃除機本体から延長管および吸込具を取り外し、掃除機本体のフラット面を床に対向させて掃除機本体を立設させることができる。このとき、掃除機本体は、安定した姿勢を保つことができる。そして、掃除機本体には、取り外した延長管および吸込具に設けられた係止フックを引っ掛けるためのフック受けが設けられているので、係止フックをフック受けに引っ掛けることで、立設した掃除機本体に延長管および吸込具を固定して、ハンディタイプ電気掃除機をコンパクトに収納することができて使い勝手が良い。
【００２５】
請求項８記載の発明によれば、サブハンドルには、電動送風機に電力を供給するための電気コードの一端側が埋設されている。また、ハンディタイプ電気掃除機には、コード伸出方向調整部材が設けられている。
コード伸出方向調整部材によって、電気コードの一端側は、使用時には、サブハンドルの他方張出面から後方へ伸び出た状態になり、掃除機本体を立設したときには、サブハンドルの他方張出面を避けて、サブハンドルの張出方向へ伸び出た状態となる。そのため、掃除機本体を立設したときには、電気コードの一端側が他方張出面から伸び出て床にぶつかることで掃除機本体が傾いて掃除機本体の姿勢が不安定になるといったことを防止できる。
【図面の簡単な説明】
【００２６】
【図１】図１（ａ）は、この発明の一実施形態に係るハンディタイプ電気掃除機１の右側面図であり、図１（ｂ）は、ハンディタイプ電気掃除機１の正面図である。
【図２】図２は、ハンディタイプ電気掃除機１の掃除機本体２の右側断面図である。
【図３】図３は、吸込具４のシャッター５４を開いた状態におけるハンディタイプ電気掃除機１の右側面図である。
【図４】図４（ａ）は、吸込具４を倒立姿勢にした状態におけるハンディタイプ電気掃除機１の側面図であり、図４（ｂ）は、吸込具４を倒立姿勢にした状態におけるハンディタイプ電気掃除機１の背面図である。
【図５】図５は、収納状態にあるハンディタイプ電気掃除機１の斜視図である。
【図６】図６は、収納状態にあるハンディタイプ電気掃除機１の側面図である。
【図７】図７は、収納状態にあるハンディタイプ電気掃除機１の平面図である。
【図８】図８は、収納状態にある変形例のハンディタイプ電気掃除機１の側面図である。
【図９】図９は、床面Ｖで立設させた状態における掃除機本体２の側面図であって、一部を断面で示している。
【図１０Ａ】図１０Ａは、変形例に係る掃除機本体２の側面図であって、一部を断面で示している。
【図１０Ｂ】図１０Ｂは、変形例に係る掃除機本体２を床面Ｖで立設させた状態における掃除機本体２の側面図であって、一部を断面で示している。
【図１１】図１１（ａ）は、掃除機本体２の後端面５Ｃに取り付けられる排気調整機構８０の斜視図であり、図１１（ｂ）は、排気調整機構８０の断面図である。
【図１２】図１２（ａ）は、排気調整機構８０のスライド部材８１の斜視図であり、図１２（ｂ）は、スライド部材８１の断面図である。
【図１３】図１３（ａ）は、排気調整機構８０の保持部材８２の斜視図であり、図１３（ｂ）は、保持部材８２の断面図である。
【図１４】図１４は、メインハンドル３０を把持した場合における排気調整機構８０の断面図である。
【図１５】図１５は、サブハンドル３１を把持した場合における排気調整機構８０の断面図である。
【発明を実施するための形態】
【００２７】
以下には、図面を参照して、この発明の実施形態について具体的に説明する。
図１（ａ）は、この発明の一実施形態に係るハンディタイプ電気掃除機１の右側面図であり、図１（ｂ）は、ハンディタイプ電気掃除機１の正面図である。図２は、ハンディタイプ電気掃除機１の掃除機本体２の右側断面図である。
以下では、図１（ａ）におけるハンディタイプ電気掃除機（以下では、単に「掃除機」という）１の姿勢を基準として、掃除機１の前後左右方向を規定する。図１（ａ）において、左側が前側であり、右側が後側であり、奥側が左側であり、手前側が右側である。また、左右方向は、幅方向と同義である。
【００２８】
掃除機１は、掃除機本体２と、掃除機本体２から前方へ延びる延長管３と、延長管３の先端に取り付けられた吸込具４とを有している。この掃除機１で掃除をする際、掃除機本体２を手で持って宙に浮かせて操作し、この状態で掃除機１全体を移動させる。
＜掃除機本体＞
図２を参照して、掃除機本体２は、中空の略円筒状をなす本体部５を備えている。なお、図１（ａ）と図２とで、掃除機本体２の姿勢は一致している。
【００２９】
本体部５は、その内部に収納される電動送風機６と、電動送風機６の前方において取り外し可能に設けられた集塵部７とを備えている。掃除機本体２では、重量物である電動送風機６を含む本体部５が重心となる。
本体部５は、前下側へ延びる中心軸Ｊを有する円周面５Ａと、円周面５Ａを前側から塞ぐ前端面５Ｂと、円周面５Ａを後側から塞ぐ後端面５Ｃとを一体的に備えている。
【００３０】
図２の姿勢を基準として、本体部５の円周面５Ａの下側部分の前端部には、接続管８が一体的に設けられている。接続管８は、本体部５の一部であり、略Ｌ字状に折れ曲っている。具体的には、接続管８は、円周面５Ａの下側部分の前端部から、円周面５Ａの径方向外側（下側）へ突出し、その後、前側へ折れ曲って、円周面５Ａの中心軸Ｊに沿って前側へ直線状に延びている。そのため、接続管８の後端は、略９０°湾曲している。
【００３１】
接続管８において前側へ直線状に延びている部分を直線部分８Ａといい、直線部分８Ａの前端を先端８Ｂという。後述するように、先端８Ｂに延長管３を連結することができる（図１参照）。
先端８Ｂの周上１箇所（図２では上側面）には、解除レバー９が設けられている。解除レバー９は、直線部分８Ａの長手方向に沿って長手である。解除レバー９は、一端に、接続管８の外周面側に露出される解除ボタン９Ａと、他端に、接続管８の内周面側に露出されるフック９Ｂとを一体的に備えている。解除レバー９において、一端と他端との間の部分には、接続管８の円周面に対する接線と平行に延びる揺動軸９Ｃが挿通されていて、解除レバー９は、揺動軸９Ｃを中心として揺動可能である。また、解除レバー９には、ばね等の付勢部材（図示せず）が取り付けられていて、この付勢部材によって、解除レバー９は、解除ボタン９Ａが接続管８の外周面側へ突出し、かつ、フック９Ｂが接続管８の内周面側へ突出するように、付勢されている。
【００３２】
本体部５の前端面５Ｂは、略円形であり、前端面５Ｂには、本体部５の内部に向けて（図２では、後上側へ向けて）窪む収容凹部１０が形成されている。収容凹部１０は、本体部５の前側から見ると、略円形状に区画されている。本体部５において収容凹部１０を区画する円周面の下側部分には、連通口１１が形成されていて、連通口１１に接続管８の後端が接続されている。これにより、接続管８の内部は、連通口１１を介して収容凹部１０の内部に連通している。
【００３３】
また、収容凹部１０の底面（図２における後端面）には、開口１２が形成されている。開口１２は、本体部５の内部において収容凹部１０より後側の領域（収容室１３という）に前側から連通している。
本体部５の後端面５Ｃは、略円形であり（後述する図４（ｂ）参照）、本体部５の円周面５Ａの中心軸Ｊと直交する方向に沿って平坦である。後端面５Ｃは、掃除機本体２の後端面となしている。つまり、掃除機本体２は、本体部５の後端面５Ｃにより形成される略円形の後端面を有している。後端面５Ｃには、排気口１４が形成されている。排気口１４は、収容室１３に対して後側から連通している。
【００３４】
電動送風機６は、本体部５の収容室１３に収容されている。電動送風機６は、モータ１５と、モータ１５を収容するボックス状のモータカバー１６とを備えている。モータ１５は、電力が供給されることによって運転されて、吸引力を発生する。モータカバー１６の前面は、前述した収容凹部１０の底面を兼ねていて、モータカバー１６の前面には、前述した開口１２が形成されている。そして、モータカバー１６において排気口１４側には、吐出口１７が形成されている。モータカバー１６の内部は、開口１２を介して収容凹部１０内部に連通していて、吐出口１７および排気口１４を介して本体部５の外（機外）に連通している。そのため、電動送風機６では、モータ１５が運転されると、収容凹部１０からモータカバー１６の内部を通って排気口１４から機外に排出される空気の流れが発生する。
【００３５】
集塵部７は、集塵ケース１８と、ガイド部材１９と、ホルダ２０と、フィルタ２１とを含んでいる。
集塵ケース１８は、本体部５の中心軸Ｊと同軸をなす細長い円筒状のカップであって、前端面は塞がれていて、後端面は開放されている。集塵ケース１８は、透明または半透明な素材（樹脂等）で形成されている。集塵ケース１８の後端面において開放された部分を開口部１８Ａという。開口部１８Ａは、円形状に区画されている。また、集塵ケース１８の円周壁において開口部１８Ａ側の部分の周上１箇所には、貫通穴（取込口１８Ｂという）が形成されている。
【００３６】
ガイド部材１９は、略円筒形状である。ガイド部材１９は、集塵ケース１８の内部に収容され得る大きさを有している。ガイド部材１９の前端面および後端面はいずれも開放されている。
ガイド部材１９は、直径が一定である筒部分１９Ａと、筒部分１９Ａの前端から前側へ向かって拡径された拡径部分１９Ｂと、筒部分１９Ａの後端から筒部分１９Ａの径方向外側へ向かって鍔状に張り出したフランジ部分１９Ｃとを一体的に備えている。拡径部分１９Ｂは、筒部分１９Ａの前端から徐々に拡径される部分と、この部分より前側において直径が一体である部分とを含んでいる。
【００３７】
ガイド部材１９には、筒部分１９Ａと拡径部分１９Ｂとの境界部分においてガイド部材１９の内部を二分する円形状の区画壁１９Ｄが一体的に設けられている。
また、ガイド部材１９では、筒部分１９Ａおよび区画壁１９Ｄのそれぞれに、複数の貫通孔２２が形成されている。
ホルダ２０は、集塵ケース１８およびガイド部材１９と同軸状をなす略円錐台形状であり、前側へ向かって縮径されている。ホルダ２０は、ガイド部材１９の内部に収容され得る大きさを有している。ホルダ２０の前端面および後端面はいずれも開放されている。ホルダ２０は、その後端からホルダ２０の径方向外側へ向かって鍔状に張り出したフランジ部分２０Ａを一体的に備えている。
【００３８】
フィルタ２１は、不織布やスポンジ等の目が極めて細かい材料で構成された布状である。フィルタ２１は、ホルダ２０に保持される。保持された状態で、フィルタ２１では、一部が、ホルダ２０の円周面を外側から覆っていて、残りの部分は、ホルダ２０の開放された前端面からホルダ２０の内側に入り込んでいる。そのため、ホルダ２０に保持されたフィルタ２１の断面は、略Ｍ（またはＷ）字形状をなしている。
【００３９】
集塵部７を組み立てる場合には、まず、集塵ケース１８の開口部１８Ａに、ガイド部材１９を拡径部分１９Ｂから通して、ガイド部材１９を集塵ケース１８の内部に収容する。ガイド部材１９が集塵ケース１８に収容された状態において、ガイド部材１９のフランジ部分１９Ｃが開口部１８Ａ側における集塵ケース１８の内周面に係合していて、これにより、ガイド部材１９が集塵ケース１８内で位置決めされている。
【００４０】
このとき、ガイド部材１９は、集塵ケース１８と同軸状をなしている。また、ガイド部材１９の筒部分１９Ａおよび拡径部分１９Ｂの各外周面と集塵ケース１８の内周面との間には、隙間Ｘが確保されている。集塵ケース１８（ガイド部材１９）の径方向における隙間Ｘの大きさは、筒部分１９Ａに一致する部分ではほぼ一定であるが、拡径部分１９Ｂに一致する部分では狭くなっている。隙間Ｘは、集塵ケース１８の取込口１８Ｂに連通している。
【００４１】
また、集塵ケース１８の内部空間においてガイド部材１９よりも前側には、集塵ケース１８の内部空間の略前半分に相当する大きさの集塵室Ｙが確保されている。前述した隙間Ｘと集塵室Ｙとは互いに連通している。
そして、フィルタ２１を保持したホルダ２０を、ガイド部材１９の内部に後側から挿入して、ガイド部材１９の内部に収容する。ホルダ２０およびフィルタ２１は、ガイド部材１９に収容された状態において、ガイド部材１９の内部空間において前述した区画壁１９Ｄより後側の領域に配置されており、ガイド部材１９とホルダ２０との間にフィルタ２１が位置している。また、このとき、ホルダ２０のフランジ部分２０Ａが、ガイド部材１９のフランジ部分１９Ｃに後側から係合していて、これにより、ホルダ２０およびフィルタ２１がガイド部材１９内で位置決めされている。
【００４２】
これにより、集塵部７の組み立てが完了する。なお、ホルダ２０およびフィルタ２１をガイド部材１９の内部に先に収容してからガイド部材１９を集塵ケース１８の内部に収容することで集塵部７を組み立てても構わない。
完成した集塵部７では、集塵ケース１８の開口部１８Ａが、ガイド部材１９のフランジ部分１９Ｃおよびホルダ２０のフランジ部分２０Ａによって塞がれている一方で、ホルダ２０の開放された前端面からホルダ２０の内側に入り込んでいるフィルタ２１が、集塵ケース１８の開口部１８Ａから外部（図２では後方）に露出されている。
【００４３】
そして、集塵部７を、本体部５の前方に配置し、集塵ケース１８の開口部１８Ａ側から、本体部５の前端面５Ｂの収容凹部１０に挿入する。これにより、集塵部７が本体部５に装着される。なお、集塵部７を収容凹部１０から外れるまで前側へ引き出せば、集塵部７を本体部５から離脱させることができる。
集塵部７が本体部５に装着された状態において、集塵部７では、集塵ケース１８の後側略３分の１に相当する部分が収容凹部１０内に収まっていて、それ以外の部分は、収容凹部１０から前側へはみ出ている。このとき、集塵ケース１８の開口部１８Ａは、収容凹部１０の底面（モータカバー１６の前面）の開口１２に対して前側から対向して連通している。また、集塵ケース１８の取込口１８Ｂは、本体部５において収容凹部１０を区画する円周面の連通口１１に対して、収容凹部１０の内側から対向して連通しており、連通口１１を介して、接続管８の内部にも連通している。
【００４４】
なお、集塵部７における開口部１８Ａの周囲と、収容凹部１０の底面における開口１２の周囲との隙間は、パッキン２３によって塞がれている。また、集塵部７における取込口１８Ｂの周囲と、本体部５において収容凹部１０を区画する円周面における連通口１１の周囲との隙間（さらには、接続管８と連通口１１との隙間）は、パッキン２４によって塞がれている。そのため、掃除機本体２内に取り込まれた空気が取込口１８Ｂおよび連通口１１を通過する際や、この空気が開口部１８Ａおよび開口１２を通過する際において、前述した隙間から空気が漏れることが防止されている。
【００４５】
そして、この掃除機本体２には、掃除機本体２を宙に浮かせて移動させるために把持されるメインハンドル３０およびサブハンドル３１が備えられている。
図２の状態を基準として、メインハンドル３０は、本体部５の円周面の上側部分の前後方向における全域に亘って一体的に設けられていて、幅方向に薄い板状である。メインハンドル３０には、本体部５の中心軸Ｊにほぼ沿うように長手となった長穴３２が、メインハンドル３０を幅方向に貫通するように形成されている。長穴３２は、メインハンドル３０を把持した手の指を通すためのものである。メインハンドル３０全体は、上側（本体部５の径方向外側）へ円弧状に膨出する略Ｄ字形状をなしている。つまり、メインハンドル３０は、本体部５の周面（円周面）の所定角度位置に、その周面から外方へ張り出すように設けられている。メインハンドル３０の上側面の前側部分には、モータ１５の運転を制御するために操作されるスイッチ３３が設けられている。
【００４６】
メインハンドル３０の後側面３０Ａは、平坦面であり、本体部５の後端面５Ｃに対して上側から連続していて後端面５Ｃと面一をなしている。換言すれば、掃除機本体２は、メインハンドル３０の後端により本体部５の後端面５Ｃから外方へ張り出した一方張出面をなす後側面３０Ａを有している。
サブハンドル３１は、本体部５の円周面の下側部分に一体的に設けられており、電動送風機６（または、本体部５の中心軸Ｊ）を挟んでメインハンドル３０の反対側に位置している。換言すれば、サブハンドル３１は、メインハンドル３０が設けられた角度位置と１８０°隔たる本体部５の周面の角度位置に、この周面から外方へ張り出すように設けられている。メインハンドル３０およびサブハンドル３１は、電動送風機６（本体部５の中心軸Ｊ）を基準として対称となっている。
【００４７】
サブハンドル３１は、略Ｌ字状をなしている。詳しくは、サブハンドル３１は、接続管８の直線部分８Ａの後端から直線部分８Ａに沿って後側へ直線状に延びる直線部分３１Ａと、直線部分３１Ａの後端から直線部分３１Ａに直交して直線状に延びて本体部５の後端部に下側から接続される直交部分３１Ｂとを一体的に備えている。直線部分３１Ａと直交部分３１Ｂとの接続部分は、丸められている。
【００４８】
ここで、接続管８を基準とすると、接続管８は、サブハンドル３１の直線部分３１Ａの前方延長線上にサブハンドル３１と一体化して設けられている。
このようなＬ字状のサブハンドル３１と、本体部５の円周面の下側部分とによって、メインハンドル３０を把持した手の指を通すための長穴３４が区画されている。長穴３４は、本体部５の中心軸Ｊに沿って長手である。
【００４９】
サブハンドル３１の直交部分３１Ｂの後側面３１Ｃは、平坦面であり、本体部５の後端面５Ｃに対して下側から連続していて後端面５Ｃと面一をなしている。換言すれば、掃除機本体２は、サブハンドル３１の後端により本体部５の後端面５Ｃから外方へ張り出した他方張出面をなす後側面３１Ｃを有している。ここで、メインハンドル３０およびサブハンドル３１が電動送風機６（本体部５）を基準として対称となっていることから、サブハンドル３１の後側面３１Ｃは、メインハンドル３０の後側面３０Ａと１８０°隔たる方向へ張り出している。
【００５０】
前述したように、メインハンドル３０の後側面３０Ａと後端面５Ｃとが面一であることから、サブハンドル３１の後側面３１Ｃと、メインハンドル３０の後側面３０Ａと、本体部５の後端面５Ｃとは、面一となっていて、まとまった状態で、フラット面３５を形成している。
また、電動送風機６等の電気部品に対して外部の電力を供給するために、掃除機本体２には、電気コード３７の一端側３７Ａが接続されている。電気コード３７の一端側３７Ａは、サブハンドル３１の直線部分３１Ａに埋設されている。また、一端側３７Ａには、ブッシング３９が設けられていて、ブッシング３９も直線部分３１Ａに埋設されている。つまり、ブッシング３９がサブハンドル３１からはみ出ないように構成されているので、この分、掃除機本体２（掃除機１）の小型化が図られているとともに、サブハンドル３１を把持するときに、ブッシング３９が邪魔にならない。
【００５１】
そして、直交部分３１Ｂの後側面３１Ｃの下端部と、直線部分３１Ａの下側面の略後半分とには、切欠き３８（コード伸出方向調整部材）が連続して形成されていて、この切欠き３８から、電気コード３７がはみ出ている。電気コード３７の他端には、電気プラグ（図示せず）が接続されていて、この電気プラグがコンセント（図示せず）につながると、電気コード３７から電動送風機６等の電気部品へ外部の電力を供給できる。
＜延長管＞
図１を参照して、延長管３は、直線状に延びる略円管状であって、掃除機本体２側の第１管４０と、吸込具４側の第２管４１と分割可能である。第１管４０および第２管４１のそれぞれの長さは、大体同じである。第２管４１の後端部が第１管４０の前端部の内側に収容されていて、この状態で、第１管４０と第２管４１とは同軸状をなしている。第２管４１を第１管４０内に収容していくことで、延長管３を伸縮させて延長管３の長さを変えることができる。
【００５２】
第１管４０の後端部の外周面の周上１箇所には、凹部４２が形成されている（後述する図８参照）。後述するように、凹部４２には、掃除機本体２の接続管８の先端８Ｂにおける解除レバー９のフック９Ｂ（図２参照）が受け入れられる。第１管４０の前端部の上側面には、調整ボタン４３が設けられている。調整ボタン４３は、延長管３を伸縮させる際に操作される。
【００５３】
第２管４１の上側面には、長さ方向におけるほぼ全域において、複数の凹部４４が間隔を隔てて並列するように形成されている（図１（ｂ）参照）。いずれかの凹部４４に対して、第１管４０に設けられた図示しない爪が引っ掛かっていて、この状態で、延長管３の伸縮が規制されている。調整ボタン４３を押すと、この爪（図示せず）を、いままで引っ掛かっていた凹部４４から外すことができ、これにより、延長管３の伸縮が可能となる。そして、任意の長さになるように延長管３を伸縮させてから調整ボタン４３を離すと、前述した爪（図示せず）が最寄りの凹部４４に引っ掛かるので、延長管３を任意の長さで維持することができる。
【００５４】
第２管４１の前端部の上側面には、取り外しボタン４５が設けられている。取り外しボタン４５は、延長管３から吸込具４を取り外す際に操作される。
このような延長管３は、第１管４０の後端部が掃除機本体２の接続管８の先端８Ｂに対して内嵌されることで、先端８Ｂ（掃除機本体２）に対して連結される。延長管３が先端８Ｂに連結された状態で、第１管４０の後端部の凹部４２（図８参照）には、接続管８の先端８Ｂにおける解除レバー９のフック９Ｂ（図２参照）が受け入れられており、これによって、延長管３が掃除機本体２に対して外れ不能に固定（ロック）されている。なお、解除レバー９の解除ボタン９Ａを押すと、解除レバー９が揺動してフック９Ｂが凹部４２から外れるので、掃除機本体２に対する延長管３のロックが解除され、延長管３を掃除機本体２から取り外すことができる。
【００５５】
そして、図１に示すように、延長管３が接続管８の先端８Ｂに連結された状態では、サブハンドル３１、接続管８および延長管３は、一直線状に延びている。
＜吸込具＞
吸込具４は、ハウジング５０と、ベンド５１とを含んでいる。
ハウジング５０は、幅方向に長手（幅広）かつ上下方向に扁平で中空のボックス形状である。ハウジング５０の底面５０Ａの前側には、幅方向に長手の主吸込口５２が形成されており、ハウジング５０の前面５０Ｂには、幅方向に長手の副吸込口５３が形成されている。副吸込口５３は、主吸込口５２に対して前側から連続している。主吸込口５２および副吸込口５３は、ハウジング５０内に連通している。
【００５６】
ハウジング５０の前面５０Ｂには、シャッター５４が設けられている。シャッター５４は、幅方向に長手の板状である。シャッター５４は、幅方向から見て、前上側へ円弧状に膨出するように、湾曲している。シャッター５４の前側面（外表面）の幅方向両端部には、ローラー５５が設けられている。ローラー５５は、前上側へ延びる円柱形状であって、先端部（前上側端部）が丸められている。ローラー５５は、前上側へ延びる軸（図示せず）を中心に回転可能である。
【００５７】
シャッター５４は、前上側から、副吸込口５３を開閉可能に覆っている。図１では、シャッター５４が副吸込口５３を閉じている。開いたシャッター５４では、後側部分が、ハウジング５０の天壁５０Ｃの前端部の下側に隠れるようにハウジング５０内に収容される（図示せず）。
ここで、シャッター５４は、閉じるように付勢部材（ばねなど）で付勢されている。そのため、図３に示すように、壁Ｗに対してローラー５５を押し付けることで、付勢部材の付勢力に抗してシャッター５４を開くことができる。逆に、ローラー５５を壁Ｗから離すと、付勢部材の付勢力によって、図１に示すように、シャッター５４は速やかに閉じる。
【００５８】
図１（ａ）に示すように、ハウジング５０の後面の幅方向中央には、接続筒５６が取り付けられている。接続筒５６は、前後方向に延びる中心軸を有する略円筒状であり、ハウジング５０の後面に対して後から挿通され、ハウジング５０によって、上述した中心軸を中心として回動自在に支持されており、ハウジング５０の一部となっている。接続筒５６の内部は、ハウジング５０内に連通している。接続筒５６の後端面と外周部分の周上１箇所とは、連続して切欠かれており、切欠き部５６Ａとされる。
【００５９】
ベンド５１は、図１（ａ）では前後方向に長手の管状であり、その前端は、略球体状に形成されている。ベンド５１の前端は、ハウジング５０の接続筒５６の切欠き部５６Ａに対して後から挿通されており、これによって、ベンド５１は、接続筒５６（ハウジング５０）によって支持されている。
詳しくは、ベンド５１では、前端がハウジング５０に連結され、後端は、ハウジング５０から後方へ突出している。この状態で、ベンド５１は、前端を支点として、接続筒５６に対して回動自在である。図１（ａ）では、ベンド５１は、上下に回動自在である。そして、接続筒５６が、前後方向に延びる中心軸を中心として回動自在であることから、ベンド５１は、接続筒５６に対して回動しつつ、接続筒５６とともに、前後方向に延びる中心軸を中心として回動することができる。つまり、ベンド５１は、ハウジング５０との連結部である接続筒５６を中心に回動可能である。
【００６０】
ベンド５１の内部は、接続筒５６の内部を介して、ハウジング５０内に連通している。ベンド５１は、その後端において、延長管３の先端（第２管４１の前端）に取り付けられる。
また、ハウジング５０内には、回転ブラシ５７が設けられている。回転ブラシ５７は、幅方向に長手でハウジング５０の左右の側壁によって回転可能に支持されている。回転ブラシ５７のブラシ毛は、主吸込口５２および副吸込口５３の両方に臨んでいる。ハウジング５０内には、モータやタービンが設けられている（図示せず）。モータが掃除機本体２から電力を受けることで駆動されたり、後述するようにハウジング５０内に吸い込まれた空気でタービンが回転駆動されたりすることで、回転ブラシ５７は、モータやタービンから駆動力を受けて回転する。
【００６１】
図３は、吸込具４のシャッター５４を開いた状態における掃除機１の右側面図である。図４（ａ）は、吸込具４を倒立姿勢にした状態における掃除機１の側面図であり、図４（ｂ）は、吸込具４を倒立姿勢にした状態における掃除機１の背面図である。
このような吸込具４は、図１および図３に示す基本姿勢と、図４に示す倒立姿勢とに姿勢を切り換えることができる。吸込具４が基本姿勢にあるとき、主吸込口５２が床面Ｖに対して上から対向し（図１および図３参照）、吸込具４が倒立姿勢にあるとき、副吸込口５３が床面Ｖに対して上から対向する。
【００６２】
また、壁Ｗに対してローラー５５を押し付けていない状態において吸込具４が基本姿勢にあれば、シャッター５４は、副吸込口５３を閉じている（図１参照）。一方で、吸込具４が倒立姿勢にあるときには、ローラー５５が床面Ｖに当接されることで、シャッター５４は、開く方向へ移動して、副吸込口５３を開く（図４参照）。
そして、図１に示すように、掃除機本体２においてメインハンドル３０を把持すると、メインハンドル３０が掃除機本体２の上端に位置し、メインハンドル３０の真下に本体部５が位置し、サブハンドル３１が、本体部５を挟んでメインハンドル３０の反対側（掃除機本体２の下側面側）に位置する。この状態では、吸込具４は基本姿勢をとり、延長管３は、吸込具４のハウジング５０の長手方向（幅方向）に直交しつつ、後上側へ傾斜して延びている。このとき、掃除機本体２では、接続管８およびサブハンドル３１が、延長管３の延長線上に延びている。
【００６３】
この状態で、メインハンドル３０を把持したまま前方に移動させ、図３に示すように、吸込具４をシャッター５４側から室内の壁Ｗに押し付けると、シャッター５４のローラー５５が壁Ｗに当接され、これによって、シャッター５４が開く。
また、図１の状態で、メインハンドル３０からサブハンドル３１に持ち替えてサブハンドル３１を少し浮かせる。すると、掃除機本体２において図１でサブハンドル３１より上側の本体部５およびメインハンドル３０が、一直線状に延びている延長管３、接続管８およびサブハンドル３１を軸として、電動送風機６の自重によって下向きに回動する。厳密には、掃除機１において吸込具４以外の部分が、延長管３、接続管８およびサブハンドル３１を軸として、１８０°下向きに捻られる。これにより、本体部５およびメインハンドル３０が、図４に示すように、サブハンドル３１の下方へ速やかに移動する。そのため、メインハンドル３０からサブハンドル３１に安定した状態で円滑に持ち替えることができて使い勝手が良い。また、本体部５およびメインハンドル３０が移動するのと同時に、サブハンドル３１を少し浮かせたのに応じて延長管３が捻れながら少し上昇し、その際、吸込具４の後端部側を持ち上げるので、吸込具４の姿勢が倒立姿勢に変わり、シャッター５４が開く。このとき、倒立姿勢の吸込具４と、延長管３および掃除機本体２とが同一の垂直平面Ｈ上に配置される（図４（ｂ）参照）。
【００６４】
そして、サブハンドル３１からメインハンドル３０に持ち替えると、本体部５およびサブハンドル３１が、延長管３、接続管８およびサブハンドル３１を伴って下向きに回動し、図１に示すように、メインハンドル３０の下方に配置される。これと同時に、吸込具４の姿勢が、倒立姿勢から基本姿勢に戻る。
このように、メインハンドル３０を把持した状態で、吸込具４は基本姿勢をとり、サブハンドル３１を把持した状態で、吸込具４は倒立姿勢をとる。そして、メインハンドル３０からサブハンドル３１に持ち替えると、本体部５およびメインハンドル３０がサブハンドル３１の下方に位置し、サブハンドル３１からメインハンドル３０に持ち替えると、本体部５およびサブハンドル３１がメインハンドル３０の下方に位置する。
＜掃除機による掃除＞
図１に示すように吸込具４が基本姿勢にあってシャッター５４が閉じている状態で、電気コード３７の電気プラグ（図示せず）をコンセント（図示せず）につなげてメインハンドル３０のスイッチ３３をＯＮにすると、電動送風機６（モータ１５）に電力が供給され、電動送風機６が吸引力を発生する（図２参照）。この吸引力は、集塵部７、接続管８、延長管３、ベンド５１およびハウジング５０のそれぞれの内部に作用する。
【００６５】
これにより、ハウジング５０の底面５０Ａの主吸込口５２にも吸引力が作用するので、ハウジング５０の外部の空気が主吸込口５２からハウジング５０内に吸い込まれる。
そのため、主吸込口５２が床面Ｖに対向した状態で、メインハンドル３０を把持して吸込具４を床面Ｖ上で移動させれば、床面Ｖ上の塵埃が、主吸込口５２からハウジング５０内に吸引される空気に乗って、主吸込口５２からハウジング５０内に吸い込まれる。その後、ハウジング５０内に流入したこれらの塵埃および空気は、ベンド５１および延長管３を通って、掃除機本体２の接続管８に流入する。
【００６６】
図２を参照して、接続管８を通過した塵埃および空気は、実線の太線矢印で示すように、本体部５の連通口１１および集塵ケース１８の取込口１８Ｂを介して、集塵ケース１８内に流入して、前述した隙間Ｘ（ガイド部材１９の外周面と集塵ケース１８の内周面との隙間Ｘ）に到達する。つまり、接続管８は、集塵ケース１８へ空気および塵埃を誘導する。
【００６７】
隙間Ｘに到達した空気は、破線の太線矢印で示すように、ガイド部材１９の周りを旋回しながら隙間Ｘを前側へ通過して、集塵ケース１８の内部空間の略前半分に相当する集塵室Ｙに到り、集塵室Ｙにおいて旋回しながら後側へ流れる。
集塵室Ｙを後側へ流れた空気は、１点鎖線の太線矢印で示すように、ガイド部材１９の区画壁１９Ｄの貫通孔２２を通過したり、再び隙間Ｘに戻って筒部分１９Ａの貫通孔２２を通過したりすることで、ガイド部材１９の内部（区画壁１９Ｄより後側の領域）に流入する。なお、集塵ケース１８に流入した空気が一旦集塵室Ｙに流れてから貫通孔２２を通過するようにするために、貫通孔２２は、ガイド部材１９において、集塵ケース１８の取込口１８Ｂに対向する位置から避けた位置に形成されている。
【００６８】
そして、ガイド部材１９の内部に流入した空気は、２点鎖線の太線矢印で示すように、フィルタ２１を通過してホルダ２０の内部に到り、その後、モータカバー１６の前面の開口１２からモータカバー１６内に吸い込まれた後に吐出口１７を経て、本体部５の後端面５Ｃの排気口１４から機外に排出される。
前述したように、集塵ケース１８（ガイド部材１９）の径方向における隙間Ｘの大きさは、筒部分１９Ａに一致する部分では一定であるが、拡径部分１９Ｂに一致する部分では狭くなっている。つまり、隙間Ｘは、集塵室Ｙ側で狭くなっている。そのため、空気が隙間Ｘから集塵室Ｙへ流れると、集塵室Ｙと隙間Ｘとでは、隙間Ｘにおいて狭くなっている集塵室Ｙ側を境として、圧力差が生じる。これにより、空気とともに、集塵ケース１８内に流入して隙間Ｘに到達した塵埃は、この圧力差によって勢いよく集塵室Ｙへ送り込まれ、集塵室Ｙに前側（集塵ケース１８の底側）から溜められる。
【００６９】
空気に乗ってガイド部材１９の内部にまで流入する塵埃も存在し得るが、この塵埃は、フィルタ２１で捕獲される。また、排気口１４には、別のフィルタ２５が設けられていて、フィルタ２１で捕獲されなかった微細な塵埃は、このフィルタ２５によって捕獲される。また、このフィルタ２５は、排気音を小さくする機能も有している。
集塵部７を本体部５から取り外すことによって、集塵室Ｙに溜まった塵埃を捨てたり、フィルタ２１をメンテナンスしたりすることができる。
【００７０】
図１に示すように、吸込具４が基本姿勢にある状態では、シャッター５４が副吸込口５３を閉じているので、吸引力を主吸込口５２だけに作用させることができる。そのため、床面Ｖの塵埃を、床面Ｖに対向している主吸込口５２からハウジング５０内に効率的に吸い込むことができる。また、回転する回転ブラシ５７が主吸込口５２から床面Ｖの塵埃を掻き上げる。よって、塵埃を主吸込口５２からハウジング５０内へ効果的に流入させて集塵ケース１８の集塵室Ｙに溜めることができる。
【００７１】
一方、図３に示すように吸込具４を壁Ｗに押し付けるとシャッター５４が副吸込口５３を開く。この場合には、吸引力が副吸込口５３にも作用するので、副吸込口５３からハウジング５０内に塵埃を吸い込むことができる。この場合、副吸込口５３が壁Ｗに対向しているので、壁Ｗに付着した塵埃を副吸込口５３からハウジング５０内に吸い込むことができる。また、回転する回転ブラシ５７において副吸込口５３に臨むブラシ毛が壁Ｗの塵埃を副吸込口５３へ掻き込むので、壁Ｗに付着した塵埃は、ハウジング５０内に効率的に吸い込まれる。
【００７２】
ハウジング５０内に吸い込まれた塵埃は、前述したように、集塵ケース１８の集塵室Ｙ（図２参照）に溜められる。また、床面Ｖにおいて壁Ｗの際（壁際）の塵埃は、主吸込口５２からハウジング５０内に吸い込まれて集塵室Ｙに溜められる。
このように吸込具４を壁Ｗに押し付けてシャッター５４が開いた状態で、メインハンドル３０を把持し、壁Ｗに沿って吸込具４を横移動させる。すると、シャッター５４のローラー５５が壁Ｗの壁面に触れて転がる。これにより、ローラー５５においてガイドされることで、吸込具４を壁Ｗに沿って円滑に横移動させることができて使い勝手が良い。吸込具４が横移動する際、壁Ｗの塵埃および壁際の塵埃がハウジング５０内に吸い込まれて集塵室Ｙに溜められる。なお、シャッター５４が閉じた状態にある基本姿勢の吸込具４を壁Ｗに沿わせることもでき、このときも、ローラー５５が壁Ｗの壁面に触れて転がるので、吸込具４を壁Ｗに沿って円滑に横移動させることができる。
【００７３】
また、吸込具４が基本姿勢にある状態で（図１および図３参照）、前述したようにメインハンドル３０からサブハンドル３１に持ち替えると、図４に示すように吸込具４が倒立姿勢になる。吸込具４が倒立姿勢になる際、ローラー５５が床面Ｖに接触して床面Ｖによって下から押されることによって、シャッター５４が開く。
吸込具４が倒立姿勢にあると、基本姿勢（図１および図３参照）のときに幅広で上下に扁平だったハウジング５０において、副吸込口５３側が底面となってベンド５１側が天面となることで、ハウジング５０が、横方向（水平方向）に薄くなる（床面Ｖに対するハウジング５０の対向面積が小さくなる）。そのため、壁Ｗの壁面と家具との隙間や家具と家具との隙間といった床面Ｖにおける狭い領域にハウジング５０を入り込ませることができる。
【００７４】
そして、このとき、シャッター５４が副吸込口５３を開いているので、床面Ｖの狭い領域における塵埃を、この領域に対向している副吸込口５３からハウジング５０内に効率的に吸い込むことができる。この際、ローラー５５が床面Ｖに触れて転がるので、倒立姿勢の吸込具４を床面Ｖ上で円滑に移動させることができて使い勝手が良い。
そして、副吸込口５３からハウジング５０内に吸い込まれた狭い領域における塵埃は、前述したように、集塵ケース１８の集塵室Ｙ（図２参照）に溜められる。
【００７５】
このように、基本姿勢において、床面Ｖの広い領域の塵埃を主吸込口５２からハウジング５０内に効率的に吸い込むことができる（図１および図３参照）。一方、倒立姿勢において、吸込具４を横方向に薄くすることができるので、倒立姿勢の吸込具４を、室内の壁面と家具との隙間や家具と家具との隙間に差し込んで、これらの隙間における床面Ｖの狭い領域の塵埃を副吸込口５３からハウジング５０内に吸い込むことができる（図４参照）。つまり、吸込具４の姿勢を基本姿勢と倒立姿勢とに切り換えることによって、掃除機１では、床面Ｖにおける広い領域および狭い領域の両方を掃除することができて使い勝手が良い。
【００７６】
また、メインハンドル３０およびサブハンドル３１は、重心となる本体部５を挟んで対称に配置されているので、どちらのハンドルを把持しても、電動送風機６の自重によって、把持したハンドルの下方に本体部５がくる。これにより、ハンドルを把持した手の下方に掃除機本体２の重心が位置するので、掃除機本体２を安定した状態で移動させることができる。
【００７７】
また、床面Ｖにおいて掃除する領域を、広い領域から狭い領域へと移す場合（または、その逆の場合）、そのためにメインハンドル３０およびサブハンドル３１のいずれか一方から他方に持ち替えると、電動送風機６の自重によって、把持したハンドルの下方に本体部５が速やかに配置される。これにより、ハンドルを安定した状態で円滑に持ち替えることができる。その結果、メインハンドル３０を把持すれば、吸込具４は円滑に基本姿勢になり、サブハンドル３１を把持すれば、吸込具４は円滑に倒立姿勢になる。
【００７８】
特に、サブハンドル３１、接続管８および延長管３が一直線状に延びていることから、メインハンドル３０からサブハンドル３１に安定した状態で円滑に持ち替えることができるので、サブハンドル３１を把持すれば、吸込具４は一層円滑に倒立姿勢になる（図４参照）。
以上により、同一の吸込具４によって、床面Ｖにおいて広い領域と狭い領域とを中断することなく連続して掃除でき、使い勝手の向上を図ることができる。
＜掃除機の収納＞
図５は、収納状態にある掃除機１の斜視図である。図６は、収納状態にある掃除機１の側面図である。図７は、収納状態にある掃除機１の平面図である。図８は、収納状態にある変形例の掃除機１の側面図である。
【００７９】
掃除機１の収納に関連して、図１（ａ）に示すように、延長管３の前端部（吸込具４側の端部）の外周面には、吸込具４側へ折れ曲った係止フック６０が設けられている。なお、係止フック６０は、吸込具４に設けられてもよい。また、図５に示すように、掃除機本体２の接続管８の先端８Ｂ側における左外周面および右外周面のそれぞれには、係止フック６０を引っ掛けるためのフック受け６１が一体的に設けられている。つまり、一対のフック受け６１が、接続管８を挟んで対称となるように設けられている。各フック受け６１は、少なくとも接続管８の先端８Ｂ側に開放部６１Ａを有するボックス形状である。
【００８０】
前述したように、接続管８の解除ボタン９Ａ（図１参照）を押すと、掃除機本体２に対する延長管３のロックが解除されるので、一体となった状態にある吸込具４および延長管３を、掃除機本体２から取り外すことができる。
吸込具４および延長管３を掃除機本体２から取り外した後に、今まで掃除機本体２の後端に位置していたフラット面３５（図１〜図４参照）を床（床面Ｖ）に上から対向させて、掃除機本体２を縦長になるように立設させる。このとき、フラット面３５が床面Ｖに面接触するので、立設した掃除機本体２は、安定した姿勢を保つことができる（図６も参照）。
【００８１】
そして、吸込具４が下端に位置して延長管３が吸込具４から上方ヘ略垂直に延びるようにしてから、延長管３の係止フック６０を、いずれかのフック受け６１の開放部６１Ａに上から嵌め込んでフック受け６１に引っ掛ける。すると、延長管３が略垂直に延びた状態で、吸込具４および延長管３が掃除機本体２に固定され、掃除機１が収納状態になる。つまり、係止フック６０をフック受け６１に引っ掛けることで、立設した掃除機本体２に延長管３および吸込具４を固定して、掃除機１をコンパクトに収納することができて使い勝手が良い。
【００８２】
このとき、図６に示すように、掃除機本体２では、フラット面３５が引き続き床面Ｖに面接触していて、吸込具４の下端部が床面Ｖに接触している。ここで、フラット面３５は、メインハンドル３０、本体部５およびサブハンドル３１の並び方向に沿って長手かつ平坦なので、フラット面３５が床（床面Ｖ）に対向するように掃除機本体２を床に載置しても、掃除機本体２は、当該並び方向（図７の太い実線矢印参照）へ倒れることなく、安定した姿勢を保つことができる。一方、吸込具４の下端部と掃除機本体２のフラット面３５とが床面Ｖに接触しているので、前記並び方向に対して直交する方向（図７の太い破線矢印参照）へ掃除機本体２（掃除機１全体）が倒れることもない。つまり、このような構成によって、収納状態の掃除機１の姿勢を安定させることができる。
【００８３】
なお、フック受け６１は、図８に示すように、接続管８において左外周面および右外周面以外の外周面（掃除機１が図１の姿勢にあるときの下外周面）に設けられてもよい。また、収納状態の掃除機１において、延長管３を縮めていてもよく（図５〜図８参照）、延長管３を伸ばしていても構わない。
図９は、床面Ｖで立設させた状態における掃除機本体２の側面図であって、一部を断面で示している。図１０Ａは、変形例に係る掃除機本体２の側面図であって、一部を断面で示している。図１０Ｂは、変形例に係る掃除機本体２を床面Ｖで立設させた状態における掃除機本体２の側面図であって、一部を断面で示している。
【００８４】
図２を参照して、前述したように、電気コード３７の一端側３７Ａは、サブハンドル３１の直線部分３１Ａに埋設されている。電気コード３７の一端側３７Ａは、使用時（掃除機本体２を宙に浮かせて掃除しているとき）には、サブハンドル３１の直交部分３１Ｂの後側面３１Ｃにおける切欠き３８を介してサブハンドル３１の後側面３１Ｃから後方へ伸び出た状態になっている。
【００８５】
一方、前述したように掃除機本体２のフラット面３５を床面Ｖに上から対向させて、掃除機本体２を立設したときには、図９に示すように、電気コード３７の一端側３７Ａは、湾曲して、直線部分３１Ａにおける切欠き３８からはみ出ることで、横方向に伸び出る。つまり、一端側３７Ａは、サブハンドル３１の後側面３１Ｃを避けて、サブハンドル３１の張出方向（本体部５の周面から外方へ向かう方向）へ伸び出た状態となる。
【００８６】
また、切欠き３８の代わりに、図１０Ａおよび図１０Ｂに示す回動部材７０（コード伸出方向調整部材）を用いることができる。
回動部材７０は、円筒部７１と、円筒部７１の円周面の周上１箇所から円筒部７１の径方向へ直線状に延びる管部７２とを一体的に含んでいる。円筒部７１の内部と管部７２の内部とは連通している。また、円筒部７１に円周面において、周方向で管部７２との連結位置から１８０°隔てた位置には、円筒部７１内に連通する開口７１Ａが形成されている。また、管部７２において円筒部７１に連結された基端部とは反対側の遊端部には、管部７２内に連通する開口７２Ａが形成されている。
【００８７】
回動部材７０では、円筒部７１が、サブハンドル３１における直線部分３１Ａと直交部分３１Ｂとの接続部分に埋設されている。回動部材７０は、円筒部７１を中心として、直線位置（図１０Ａ参照）と、回動位置（図１０Ｂ参照）との間で回動可能である。
直線位置のとき、回動部材７０の管部７２は、直線部分３１Ａの延長線に沿ってサブハンドル３１の後側面３１Ｃから延びていて、管部７２の開口７２Ａは、後側面３１Ｃから後側へ突き出た位置で後方を臨んでいる（図１０Ａ参照）。
【００８８】
回動位置のとき、管部７２は、直交部分３１Ｂの延長線に沿って延びていて、管部７２の開口７２Ａは、後側面３１Ｃを避けた方向を臨んでいる（図１０Ｂ参照）。
そして、回動部材７０内には、電気コード３７の一端側３７Ａが収容されている。一端側３７Ａは、円筒部７１の開口７１Ａを通って、掃除機本体２内の電気部品（前述した電動送風機６等）に接続されていて、管部７２の開口７２Ａから掃除機本体２外へはみ出ている。
【００８９】
図１０Ａに示すように回動部材７０が直線位置にあるとき、電気コード３７の一端側３７Ａは、管部７２の開口７２Ａを介して、サブハンドル３１の後側面３１Ｃから後方へ伸び出た状態になっている。
一方、掃除機本体２を立設したときには、回動部材７０は、床面Ｖに当接されることで、図１０Ｂに示すように回動位置まで回動する。回動部材７０が回動位置にあるとき、電気コード３７の一端側３７Ａは、管部７２の開口７２Ａを介して、サブハンドル３１の後側面３１Ｃを避けて、サブハンドル３１の前述した張出方向へ伸び出た状態となる。
【００９０】
これらの切欠き３８（図２および図９参照）および回動部材７０によって、電気コード３７の一端側３７Ａは、使用時には、サブハンドル３１の後側面３１Ｃから後方へ伸び出た状態になる（図２および図１０Ａ参照）。一方、一端側３７Ａは、掃除機本体２を立設したときには、サブハンドル３１の後側面３１Ｃを避けて、サブハンドル３１の張出方向へ伸び出た状態となる（図９および図１０Ｂ参照）。そのため、掃除機本体２を立設したときには、電気コード３７の一端側３７Ａが後側面３１Ｃから伸び出て床面Ｖにぶつかる（後側面３１Ｃと床面Ｖとに挟まれる）ことで掃除機本体２が傾いて掃除機本体２の姿勢が不安定になるといったことを防止できる（図９および図１０Ｂ参照）。
＜その他＞
図１１（ａ）は、掃除機本体２の後端面５Ｃに取り付けられる排気調整機構８０の斜視図であり、図１１（ｂ）は、排気調整機構８０の断面図である。図１２（ａ）は、排気調整機構８０のスライド部材８１の斜視図であり、図１２（ｂ）は、スライド部材８１の断面図である。図１３（ａ）は、排気調整機構８０の保持部材８２の斜視図であり、図１３（ｂ）は、保持部材８２の断面図である。
【００９１】
掃除機本体２の後端面５Ｃ（図２参照）には、図１１に示す排気調整機構８０が取り付けられている。排気調整機構８０は、後端面５Ｃの排気口１４からの排気の向きを調整するものである。
排気調整機構８０は、図１２に示すスライド部材８１と、図１３に示す保持部材８２とを含んでいる。
【００９２】
図１２を参照して、スライド部材８１は、後端面５Ｃにおけるメインハンドル３０およびサブハンドル３１（図２参照）の並び方向に長手の板状である。なお、図１２のスライド部材８１は、略長方形状であるが、実際には、掃除機本体２の排気口１４を覆う形状であれば、たとえば、楕円形状や円形状であっても構わない。
スライド部材８１には、スライド部材８１を厚さ方向に貫通するスリット８３が、スライド部材８１の長手方向に並んだ状態で複数（ここでは、５つ）形成されている。スリット８３は、スライド部材８１の長手方向に直交する方向に長手である。各スリット８３は、その長手方向途中を延びるリブ８４によって、長手方向において二分されている。スライド部材８１において、隣り合うスリット８３の間の部分は、所定方向（図１２では右側）へ三角形状に突出する三角突起８５をなしている。図１２では、スライド部材８１において、４つの三角突起８５が形成されている。
【００９３】
図１３を参照して、保持部材８２は、スライド部材８１より大きく、前記並び方向に長手の板状である。保持部材８２において、その長手方向に直交する方向における両端部は、互いに接近する方向に折り曲げられていて、これにより、保持部材８２の当該両端部には、互いに離間する方向へ窪みつつ平行に延びるガイド溝８６が形成されている。
保持部材８２には、保持部材８２を厚さ方向に貫通する出口８７が、保持部材８２の長手方向に並んだ状態で、スライド部材８１の三角突起８５（図１２参照）の数（ここでは、４つ）だけ形成されている。各出口８７は、保持部材８２の長手方向に直交する方向において長手である。
【００９４】
保持部材８２でガイド溝８６が形成された側とは反対側の側面（図１３（ａ）では手前側の側面）において、その長手方向における各出口８７の両端縁部には、互いに接近する方向へ傾斜して延びる板状のガイドリブ８８が形成されている。つまり、出口８７毎に一対のガイドリブ８８が設けられている。各出口８７の一対のガイドリブ８８の先端の間には、所定の隙間が確保されている。
【００９５】
図１１を参照して、完成状態にある排気調整機構８０では、スライド部材８１は、保持部材８２においてガイド溝８６が形成された側から、保持部材８２に取り付けられている。このとき、スライド部材８１および保持部材８２のそれぞれの長手方向は一致している。また、このとき、スライド部材８１の各三角突起８５は、保持部材８２において対応する位置にある出口８７に対して、前記長手方向に遊びを持って嵌っており、各三角突起８５の先端は、各出口８７の一対のガイドリブ８８の先端の隙間に対して、前記長手方向に遊びを持って嵌っている。
【００９６】
スライド部材８１が保持部材８２に取り付けられた状態において、スライド部材８１では、その長手方向に直交する方向における一端部８１Ａ（図１２（ａ）参照）が、保持部材８２において同じ側のガイド溝８６に嵌っていて、他端部８１Ｂ（図１２（ａ）参照）が、保持部材８２において同じ側のガイド溝８６に嵌っている。これにより、スライド部材８１は、保持部材８２によって、その長手方向に沿ってスライド自在に支持されている。スライド部材８１は、各出口８７における三角突起８５の遊びの分だけスライドできる。
【００９７】
そして、このような排気調整機構８０は、掃除機本体２の本体部５の後端面５Ｃ（図２参照）に対して、排気口１４を塞ぐように後側から取り付けられている。この状態において、排気調整機構８０では、スライド部材８１の各スリット８３が、排気口１４に対して後側から連通している。
図１４は、メインハンドル３０を把持した場合における排気調整機構８０の断面図である。図１５は、サブハンドル３１を把持した場合における排気調整機構８０の断面図である。
【００９８】
メインハンドル３０を把持している場合には（図１および図３参照）、図１４に示すように、排気調整機構８０が縦長の姿勢をとっていて、スライド部材８１は、その自重によって下限の位置にある。このとき、スライド部材８１の各三角突起８５は、対応する出口８７の下端に位置していて、この出口８７の下端側のガイドリブ８８に対して面接触している一方で、この出口８７の上端側のガイドリブ８８から離間している。これにより、各三角突起８５と、対応する出口８７の上端側のガイドリブ８８との間には、所定の流路Ｚが形成されている。各流路Ｚは、スライド部材８１で三角突起８５に上側から隣接するスリット８３と、各出口８７の一対のガイドリブ８８の先端の隙間とをつなぎつつ、斜め下側へ延びている。そのため、排気口１４からの排気は、太線矢印で示すように、各流路Ｚを斜め下側へ流れて、各出口８７の一対のガイドリブ８８の先端の隙間から機外へ向けて斜め下方へ排出される。
【００９９】
そのため、斜め下方へ排出される排気が、掃除機本体２の上端側のメインハンドル３０を把持している手にかからないので、ユーザは、快適にメインハンドル３０を把持できる（図１および図３参照）。
一方、メインハンドル３０からサブハンドル３１に持ち替えると、前述したように、メインハンドル３０がサブハンドル３１の下方に位置する（図４参照）。つまり、掃除機本体２の上下の向きが逆になるので、これに応じて、スライド部材８１は、その自重によって、図１５に示すように、今までとは反対側の位置までスライドし、結局、メインハンドル３０を持っているときと同様に、下限の位置に配置される。これにより、メインハンドル３０からサブハンドル３１に持ち替えても、斜め下側へ延びる流路Ｚが形成される。そのため、排気口１４からの排気は、機外へ向けて斜め下方へ排出されることから（太線矢印参照）、掃除機本体２の上端側のサブハンドル３１を把持している手にかからないので、ユーザは、快適にサブハンドル３１を把持できる。
【０１００】
この発明は、以上に説明した実施形態に限定されるものではなく、請求項記載の範囲内において種々の変更が可能である。
【符号の説明】
【０１０１】
１      ハンディタイプ電気掃除機
２      掃除機本体
３      延長管
４      吸込具
５      本体部
５Ｃ    後端面
６      電動送風機
８      接続管
８Ｂ    先端
１８    集塵ケース
３０    メインハンドル
３０Ａ  後側面
３１    サブハンドル
３１Ｃ  後側面
３５    フラット面
３７    電気コード
３７Ａ  一端側
３８    切欠き
５０    ハウジング
５０Ａ  底面
５０Ｂ  前面
５１    ベンド
５２    主吸込口
５３    副吸込口
５４    シャッター
５５    ローラー
６０    係止フック
６１    フック受け
７０    回動部材
Ｖ      床面
【図１】
2012050564.tif 000003
【図２】
2012050564.tif 000004
【図３】
2012050564.tif 000005
【図４】
2012050564.tif 000006
【図５】
2012050564.tif 000007
【図６】
2012050564.tif 000008
【図７】
2012050564.tif 000009
【図８】
2012050564.tif 000010
【図９】
2012050564.tif 000011
【図１０Ａ】
2012050564.tif 000012
【図１０Ｂ】
2012050564.tif 000013
【図１１】
2012050564.tif 000014
【図１２】
2012050564.tif 000015
【図１３】
2012050564.tif 000016
【図１４】
2012050564.tif 000017
【図１５】
2012050564.tif 000018